(57)【特許請求の範囲】
【請求項１】
主シールドと、この主シールドにそれぞれ配設された左側および右側の補助シールド取り付け機構とを備えているシールド構造において、
上記左側および右側の補助シールド取り付け機構のそれぞれが、内側補助シールド取り付け部と外側補助シールド取り付け部との両方を共通に備えていることを特徴とするヘルメット用またはゴーグル用のシールド構造。
【請求項２】
上記内側補助シールド取り付け部が、内側補助シールドの第１の係合用切り欠き凹部または第１の係合用開孔に係合させるための第１の係合用軸部と、上記第１の係合用切り欠き凹部または上記第１の係合用開孔からの上記第１の係合用軸部の抜け止めのための第１の抜け止め部とを備えるとともに、
上記外側補助シールド取り付け部が、外側補助シールドの第２の係合用切り欠き凹部または第２の係合用開孔に係合させるための第２の係合用軸部と、上記第２の係合用切り欠き凹部または上記第２の係合用開孔からの上記第２の係合用軸部の抜け止めのための第２の抜け止め部とを備えていることを特徴とする請求項１に記載のシールド構造。
【請求項３】
上記左側および右側の補助シールド取り付け機構のうちの少なくとも一方の補助シールド取り付け機構の上記内側補助シールド取り付け部が、上記主シールドに対して回動可能に構成され、
上記第１の係合用軸部が、上記内側補助シールド取り付け部の回動中心に対して偏心している第１の係合用偏心軸部によって構成され、
上記左側および右側の補助シールド取り付け機構のうちの少なくとも一方の補助シールド取り付け機構の上記外側補助シールド取り付け部が、上記主シールドに対して回動可能に構成され、
上記第２の係合用軸部が、上記外側補助シールド取り付け部の回動中心に対して偏心している第２の係合用偏心軸部によって構成されていることを特徴とする請求項２に記載のシールド構造。
【請求項４】
主シールドと、この主シールドにそれぞれ配設された左側および右側の補助シールド取り付け機構とを備えているシールド構造において、
上記左側および右側の補助シールド取り付け機構のうちの少なくとも一方の補助シールド取り付け機構が、上記主シールドに対して固定側である第１の凹凸係合部と凹凸係合することができる第２の凹凸係合部を有する補助シールド用保持部材を備え、
上記補助シールド用保持部材が、補助シールドの係合用切り欠き凹部または係合用開孔に相対的に係合させるための係合用軸部と、上記係合用切り欠き凹部または上記係合用開孔からの上記係合用軸部の抜け止めのための抜け止め部とを備え、
上記補助シールド用保持部材が、上記主シールドに対して回動可能に構成され、
上記係合用軸部が、上記補助シールド用保持部材の回動中心に対して偏心している係合用偏心軸部として構成され、
上記補助シールド用保持部材をその回動中心にほぼ沿った方向に往動させたときに、上記第２の凹凸係合部が上記第１の凹凸係合部との係合を解除するように構成されていることを特徴とするヘルメット用またはゴーグル用のシールド構造。
【請求項５】
上記左側および右側の補助シールド取り付け機構の両方が、上記主シールドに対して固定側である上記第１の凹凸係合部と凹凸係合する上記第２の凹凸係合部を有する上記補助シールド用保持部材を備えていることを特徴とする請求項４に記載のシールド構造。
【請求項６】
上記左側および右側の補助シールド取り付け機構のうちの少なくとも一方の補助シールド取り付け機構が、上記主シールドの取り付け孔に嵌合されてこの主シールドに取り付けられる支持軸部材と、この支持軸部材の内周囲に相対的にかつ回動可能に嵌合される第１の補助シールド用保持部材と、上記支持軸部材の外周囲に相対的にかつ回動可能に嵌合される第２の補助シールド用保持部材とを備え、
上記第１の補助シールド用保持部材が、内側補助シールドまたは外側補助シールドの第１の係合用切り欠き凹部または第１の係合用開孔に相対的に係合させるための第１の係合用軸部と、上記第１の係合用切り欠き凹部または上記第１の係合用開孔からの上記第１の係合用軸部の抜け止めのための第１の抜け止め部とを備え、
上記第２の補助シールド用保持部材が、上記外側補助シールドまたは上記内側補助シールドの第２の係合用切り欠き凹部または第２の係合用開孔に相対的に係合させるための第２の係合用軸部と、上記第２の係合用切り欠き凹部または上記第２の係合用開孔からの上記第２の係合用軸部の抜け止めのための第２の抜け止め部とを備えていることを特徴とする請求項４または５に記載のシールド構造。
【請求項７】
請求項１〜６のうちのいずれか１つに記載のシールド構造が、頭部保護体に回動可能に取り付けられていることを特徴とするヘルメット。
【発明の詳細な説明】
【技術分野】
【０００１】
本発明は、主シールドと、この主シールドにそれぞれ配設された左側および右側の補助シールド取り付け機構とを備えているヘルメット用またはゴーグル用のシールド構造に関するものである。また、本発明は、このようなシールド構造を備えているヘルメットにも関するものである。
【背景技術】
【０００２】
フルフェイス型ヘルメットなどにおいては、雨降りのときのように本来のシールド（本文においては、「主シールド」という。）が曇りやすいときには、例えば特許文献１に開示されているように、防曇シートなどと称される防曇用の補助シールドが主シールドに取り付けられたシールド構造が用いられることがある。そして、この特許文献１に開示されているヘルメットのシールド構造（以下、「特許文献１のシールド構造」という。）においては、防曇用補助シールドが、主シールドに対して僅かな間隙を保持するように、主シールドの内側面に着脱自在に取り付けられる。この場合、防曇用内側補助シールドの左右両端部には、ほぼ半円形状にそれぞれ構成された左側および右側の係合用の切り欠き凹部がそれぞれ配設される。また、主シールドには、これら左側および右側の係合用切り欠き凹部（すなわち、係合用スリット）にそれぞれ対応するように、防曇用内側補助シールドのための抜け止め用頭部をそれぞれ有する左側および右側の係合用の頭付き軸部が、主シールドの内側面に突出した状態でもって、配設される。このような係合用頭付き軸部は、主シールドに対する防曇用補助シールドの張り具合を調整し得るように、偏心軸構造である。また、係合用頭付き軸部の基端側の非偏心軸部は、主シールドの外側面側からこの主シールドの取り付け孔に回動可能に挿入されている。そして、偏心軸部には、抜け止め用頭部が固着されている。したがって、上記偏心軸部を回動させることによって、上記張り具合を調整することができる。
【特許文献１】特表２００３−５０７５９４号公報
【０００３】
上述のような特許文献１のシールド構造において、防曇用内側補助シールドを主シールドの内側面に取り付ける場合には、主シールドの左側および右側の係合用頭付き軸部を防曇用内側補助シールドの左側および右側の係合用切り欠き凹部に順次相対的に係合させる。この係合の際には、左側および右側の係合用頭付き軸部の抜け止め用頭部と主シールドの内側面との間に存在している偏心軸部に防曇用内側補助シールドの左端部および右端部を順次相対的に差し込むことによって、上記係合を行えばよい。また、防曇用内側補助シールドを主シールドから取り外す場合には、この係合の場合とは逆の操作を行って、左側および右側の係合用切り欠き凹部から左側および右側の係合用頭付き軸部を順次相対的に取り外せばよい。そして、上述のように構成された特許文献１のシールド構造によれば、外側の主シールドと内側の防曇用補助シールドとの間に断熱層となる密閉状空間を形成することができる。したがって、この断熱層の働きによって、２枚のシールドの１枚当りの内外の温度差を減少させることができるから、主シールドおよび防曇用内側補助シールドのそれぞれの曇り止めを行うことができる。
【特許文献１】特表２００３−５０７５９４号公報
【０００４】
一方、フルフェイス型ヘルメットなどにおいては、モトクロスの場合のように悪路をオートバイで走行するときには、主シールドが泥などで汚れやすいので、泥除けシート、ティアオフフィルム、捨てシートなどと称される泥除け用の補助シールドが、本出願人のホームページ中の非特許文献１に開示されているように、１枚または複数枚積層された状態でもって、主シールドの外側面に順次取り外し自在に取り付けられたシールド構造が用いられることがある。このように泥除け用外側補助シールドが取り付けられるヘルメットのシールド構造（以下、「非特許文献１のシールド構造」という。）においては、泥除け用外側補助シールドの左右両端部には、左側および右側の係合用の開孔がそれぞれ配設される。このような係合用開孔のそれぞれは、ほぼ円形状の中心孔と、この中心孔から径方向外方に向かって互いに逆方向に延在する上下一対のスリット部とから成っている。また、主シールドには、これら左側および右側の係合用開孔にそれぞれ対応するように、泥除け用外側補助シールドのための抜け止め用頭部をそれぞれ有する左側および右側の係合用の頭付き軸部が、主シールドの外側面に突出した状態でもって、配設される。このような係合用頭付き軸部は、主シールドに対する泥除け用外側補助シールドの張り具合を調整し得るように、偏心軸構造である。また、係合用頭付き軸部の基端側の非偏心軸部には、主シールドの内側面側からこの主シールドの取り付け孔に挿入された止めねじがねじ込まれているので、係合用頭付き軸部は主シールドに固定されている。したがって、上記係合用頭付き軸部を回動させることによってこの止めねじのねじ込みを緩めてから、上記係合用頭付き軸部および上記止めねじの全体を適当量回動させた後に、上記係合用頭付き軸部を上記止めねじに対して回動させて止めねじを係合用頭付き軸部に再びねじ込み固定すれば、上記張り具合を調整することができる。
【非特許文献１】http://jp.shoei.com/products/ja/parts_list.php?parts_id=1
【０００５】
非特許文献１のシールド構造において、泥除け用外側補助シールドを主シールドの外側に取り付ける場合には、主シールドの左側および右側の係合用頭付き軸部を泥除け用外側補助シールドの左側および右側の係合用開孔に順次相対的に係合させる。この係合の際には、１枚または複数枚積層された状態の泥除け用外側補助シールドの左側および右側の係合用開孔に左側および右側の係合用頭付き軸部を順次相対的に挿入させることによって、上記係合を行えばよい。
【非特許文献１】http://jp.shoei.com/products/ja/parts_list.php?parts_id=1
【０００６】
非特許文献１のシールド構造において、泥などで汚れた泥除け用外側補助シールド（複数枚積層されているときには、最も外側の泥除け用外側補助シールド）を主シールドから取り外す場合には、つぎに記載の操作を行えばよい。すなわち、まず、ヘルメット装着者などの操作者がこの泥除け用外側補助シールドの左端部付近または右端部付近を手で持ってほぼ前方に引張ればよい。この場合、主シールドの左側または右側（換言すれば、一方）の係合用頭付き軸部は、泥除け用外側補助シールドの左側または右側の係合用開孔から相対的に抜き出される。ついで、泥除け用外側補助シールドを手でほぼ前方にさらに引張ると、主シールドの右側または左側（換言すれば、他方）の係合用頭付き軸部も、泥除け用補助シールドの右側または左側の係合用開孔から相対的に抜き出される。したがって、泥除け用補助シールドを主シールドから完全に取り外すことができる。
【非特許文献１】http://jp.shoei.com/products/ja/parts_list.php?parts_id=1
【発明の開示】
【発明が解決しようとする課題】
【０００７】
上述のように構成された特許文献１のシールド構造に用いられている主シールドが、防曇用内側補助シールドだけではなく、非特許文献１のシールド構造に用いられている主シールドの場合のように泥除け用外側補助シールドも取り付けることができれば、特許文献１に開示されているヘルメットおよび非特許文献１に開示されているヘルメットのような２種類のヘルメットに１種類の主シールド構造を共通に用いることができるので、主シールド構造の互換性があって好都合である。この場合、非特許文献１のシールド構造の主シールドに配設されているような左側および右側の係合用頭付き軸部を、泥除け用外側補助シールドのための第２の係合用頭付き軸部として、特許文献１のシールド構造の主シールドに配設することが考えられる。具体的には、上記第２の係合用頭付き軸部は、この主シールドの外側面に突出した状態でもって、主シールドに配設される。しかし、この場合には、主シールド構造は、その構造が複雑になるとともに、部品点数が多くなるから、高価になる。しかも、防曇用内側補助シールドおよび泥除け用外側補助シールドのために、多数個の係合用頭付き軸部が主シールドに設けられることになるから、主シールド（ひいては、シールド構造）の見栄えが悪くなる。
【特許文献１】特表２００３−５０７５９４号公報
【非特許文献１】http://jp.shoei.com/products/ja/parts_list.php?parts_id=1
【０００８】
また、非特許文献１のシールド構造に用いられている主シールドが、泥除け用外側補助シールドだけでなく、特許文献１のシールド構造に用いられている主シールドの場合のように防曇用内側補助シールドも取り付けることができれば、非特許文献１に開示されているヘルメットおよび特許文献１に開示されているヘルメットのような２種類のヘルメットに１種類の主シールド構造を共通に用いることができるので、主シールド構造の互換性があって好都合である。この場合、特許文献１のシールド構造の主シールドに配設されているような左側および右側の係合用頭付き軸部を、防曇用内側補助シールドのための第２の係合用頭付き軸部として、非特許文献１のシールド構造の主シールドに配設することが考えられる。具体的には、上記第２の係合用頭付き軸部は、この主シールドの内側面に突出した状態でもって、主シールドに配設される。しかし、この場合にも、主シールド構造は、その構造が複雑になるとともに、部品点数が多くなるから、高価になる。しかも、泥除け用外側補助シールドおよび防曇用内側補助シールドのために、多数個の係合用頭付き軸部が主シールドに設けられることになるから、主シールド（ひいては、シールド構造）の見栄えが悪くなる。
【非特許文献１】http://jp.shoei.com/products/ja/parts_list.php?parts_id=1
【特許文献１】特表２００３−５０７５９４号公報
【０００９】
さらに、非特許文献１のシールド構造の場合には、主シールドに対する泥除け用外側補助シールドの張り具合を調整する際に、前述のように、係合用頭付き軸部を回動させることによって止めねじのねじ込みを緩めてから、係合用頭付き軸部および止めねじの全体を適当量回動させた後に、係合用頭付き軸部を止めねじに対して回動させて止めねじを係合用頭付き軸部に再びねじ込み固定する必要がある。したがって、上記張り具合の調整操作が煩雑である。特に、モトクロスの場合のように悪路をオートバイで走行するときには、泥除け用外側補助シールドが泥などで汚れやすい。このために、泥除け用外側補助シールドが複数個積層された状態でもって主シールドの外側面に取り付けられている場合には、泥除け用外側補助シールドを比較的短時間のインターバルで順次一枚ずつ取り外す必要がある。そして、取り外された泥除け用外側補助シールドの下側にある新しい泥除け用外側補助シールドの張り具合を外側補助シールドの取り外しのたびに（換言すれば、比較的短時間のインターバルで）調整する必要がある。したがって、このような場合には、泥除け用外側補助シールドの張り具合の調整がさらに煩雑である。
【非特許文献１】http://jp.shoei.com/products/ja/parts_list.php?parts_id=1
【００１０】
本発明は、特許文献１のシールド構造および非特許文献１のシールド構造における上述のような欠点を、比較的簡単な構成でもって、効果的に是正し得るようにしたものである。
【特許文献１】特表２００３−５０７５９４号公報
【非特許文献１】http://jp.shoei.com/products/ja/parts_list.php?parts_id=1
【課題を解決するための手段】
【００１１】
本発明は、その第１の観点によれば、主シールドと、この主シールドにそれぞれ配設された左側および右側の補助シールド取り付け機構とを備えているシールド構造において、上記左側および右側の補助シールド取り付け機構のそれぞれが、内側補助シールド取り付け部と外側補助シールド取り付け部との両方を共通に備えていることを特徴とするヘルメット用またはゴーグル用のシールド構造に係るものである。
【００１２】
そして、本発明の上記第１の観点における第１の態様によれば、上記内側補助シールド取り付け部が、内側補助シールドの第１の係合用切り欠き凹部または第１の係合用開孔に係合させるための第１の係合用軸部と、上記第１の係合用切り欠き凹部または上記第１の係合用開孔からの上記第１の係合用軸部の抜け止めのための第１の抜け止め部とを備えるとともに、上記外側補助シールド取り付け部が、外側補助シールドの第２の係合用切り欠き凹部または第２の係合用開孔に係合させるための第２の係合用軸部と、上記第２の係合用切り欠き凹部または上記第２の係合用開孔からの上記第２の係合用軸部の抜け止めのための第２の抜け止め部とを備えている。この場合、上記左側および右側の補助シールド取り付け機構のうちの少なくとも一方の補助シールド取り付け機構の上記内側補助シールド取り付け部が、上記主シールドに対して回動可能に構成され、上記第１の係合用軸部が、上記内側補助シールド取り付け部の回動中心に対して偏心している第１の係合用偏心軸部によって構成され、上記左側および右側の補助シールド取り付け機構のうちの少なくとも一方の補助シールド取り付け機構の上記外側補助シールド取り付け部が、上記主シールドに対して回動可能に構成され、上記第２の係合用軸部が、上記外側補助シールド取り付け部の回動中心に対して偏心している第２の係合用偏心軸部によって構成されていることを特徴とする請求項２に記載のシールド構造。
【００１３】
また、本発明は、その第２の観点によれば、主シールドと、この主シールドにそれぞれ配設された左側および右側の補助シールド取り付け機構とを備えているシールド構造において、上記左側および右側の補助シールド取り付け機構のうちの少なくとも一方の補助シールド取り付け機構が、上記主シールドに対して固定側である第１の凹凸係合部と凹凸係合することができる第２の凹凸係合部を有する補助シールド用保持部材を備え、上記補助シールド用保持部材が、補助シールドの係合用切り欠き凹部または係合用開孔に相対的に係合させるための係合用軸部と、上記係合用切り欠き凹部または上記係合用開孔からの上記係合用軸部の抜け止めのための抜け止め部とを備え、上記補助シールド用保持部材が、上記主シールドに対して回動可能に構成され、上記係合用軸部が、上記補助シールド用保持部材の回動中心に対して偏心している係合用偏心軸部として構成され、上記補助シールド用保持部材をその回動中心にほぼ沿った方向に往動させたときに、上記第２の凹凸係合部が上記第１の凹凸係合部との係合を解除するように構成されていることを特徴とするヘルメット用またはゴーグル用のシールド構造に係るものである。
【００１４】
そして、本発明の上記第２の観点における第１の態様によれば、上記左側および右側の補助シールド取り付け機構の両方が、上記主シールドに対して固定側である上記第１の凹凸係合部と凹凸係合する上記第２の凹凸係合部を有する上記補助シールド用保持部材を備えている。また、本発明の上記第２の観点における第２の態様によれば、上記左側および右側の補助シールド取り付け機構のうちの少なくとも一方の補助シールド取り付け機構が、上記主シールドの取り付け孔に嵌合されてこの主シールドに取り付けられる支持軸部材と、この支持軸部材の内周囲に相対的にかつ回動可能に嵌合される第１の補助シールド用保持部材と、上記支持軸部材の外周囲に相対的にかつ回動可能に嵌合される第２の補助シールド用保持部材とを備え、上記第１の補助シールド用保持部材が、内側補助シールドまたは外側補助シールドの第１の係合用切り欠き凹部または第１の係合用開孔に相対的に係合させるための第１の係合用軸部と、上記第１の係合用切り欠き凹部または上記第１の係合用開孔からの上記第１の係合用軸部の抜け止めのための第１の抜け止め部とを備え、上記第２の補助シールド用保持部材が、上記外側補助シールドまたは上記内側補助シールドの第２の係合用切り欠き凹部または第２の係合用開孔に相対的に係合させるための第２の係合用軸部と、上記第２の係合用切り欠き凹部または上記第２の係合用開孔からの上記第２の係合用軸部の抜け止めのための第２の抜け止め部とを備えている。
【００１５】
さらに、本発明は、その第３の観点によれば、上記第１の観点または上記第２の観点によるシールド構造が、頭部保護体に回動可能に取り付けられていることを特徴とするヘルメット。
【発明の効果】
【００１６】
請求項１に係る発明によれば、左側および右側の補助シールド取り付け機構のそれぞれが、内側補助シールド取り付け部と外側補助シールド取り付け部との両方を共通に備えている。したがって、補助シールド取り付け機構が、全体として、比較的簡単な構造で安価で見栄えがよいにもかかわらず、内側補助シールドおよび外側補助シールドのうちのいずれか一方を選択的にまたは両方を一緒に主シールドに取り付けることができ、このために、複数種類のヘルメットまたは複数種類のゴーグルに対する主シールド構造の互換性があって好都合である。
【００１７】
また、請求項２に係る発明によれば、内側補助シールドおよび外側補助シールドを主シールドに簡単かつ確実に取り付けることができる。
【００１８】
また、請求項３に係る発明によれば、主シールドに対する内側補助シールドおよび外側補助シールドの張り具合を比較的簡単かつ確実に調整することができる。
【００１９】
また、請求項４に係る発明によれば、少なくとも一方の補助シールド取り付け機構においては、補助シールド用保持部材をその回動中心にほぼ沿った方向に往動させてから回動させることによって、係合用偏心軸部による補助シールドの張り具合を調整するようにしたから、補助シールドの張り具合が不測に調整されることがなくて、この張り具材を正確かつ確実に調整することができる。
【００２０】
また、請求項５に係る発明によれば、左側の補助シールド取り付け機構と右側の補助シールド取り付け機構との両方において、係合用偏心軸部による補助シールドの張り具合の調整を行うことができるから、この張り具合の調整をさらに正確かつ容易に行うことができる。
【００２１】
また、請求項６に係る発明によれば、比較的簡単な構成でもって、内側補助シールドおよび外側補助シールドを主シールドに簡単かつ確実に取り付けることができる。
【００２２】
さらに請求項７に係る発明によれば、請求項１に係る発明または請求項４に係る発明によって奏する効果を同様に奏するヘルメットを提供することができる。
【発明を実施するための最良の形態】
【００２３】
つぎに、本発明をフルフェイス型ヘルメットのシールド構造に適用した一実施例を、「１、ヘルメット全体の概略的構成」、「２、シールド構造の構成」、「３、補助シールド取り付け機構の構成」および「４、補助シールド取り付け機構の動作」に項分けして、図面を参照しつつ説明する。
【００２４】
１、ヘルメット全体の概略的構成
フルフェイス型ヘルメット１は、図１および図２に示すように、
（ａ）オートバイのライダなどのヘルメット装着者の頭部に装着されるフルフェイス型の頭部保護体２、
（ｂ）ヘルメット装着者の額部と顎部との間（すなわち、顔面の中央部分）に対向するように頭部保護体２の前面に形成された窓孔３を開閉し得るシールド構造４、
（ｃ）頭部保護体２の内側にそれぞれ取り付けられた左右一対の顎掛け用バンド（図示せず）、
から構成されている。そして、頭部保護体２のうちのヘルメット装着者の顎部、額部などとそれぞれ対向する部分には、頭部保護体２の換気を行うための１個または複数個のベンチレータ（図示せず）が必要に応じてそれぞれ設けられている。また、シールド構造４の左右両側部付近は、左右一対のシールド取り付け機構（換言すれば、主シールド取り付け機構）５によって、頭部保護体２の外周壁を構成する外側シェル６に回動可能にそれぞれ取り付けられている。なお、主シールド取り付け機構５は、本発明の要部ではないので、本文においては、その詳細な説明を省略する。
【００２５】
外側シェル６は、周知なように、ＦＲＰ、その他の合成樹脂などの強度の大きい硬質材料から成っていてよい。また、図１および図２に示すように、頭部保護体２の窓孔３を形成するために外側シェル６に形成された窓孔７のほぼ全周囲にわたって、周知なように、断面がほぼＵ字状、ほぼＥ字状などの窓孔用縁部材１１が接着剤、両面接着テープなどによる接着などによって取り付けられている。そして、図１および図２に示すように、窓孔用縁部材１１の下端部に窓孔７の下端部に沿ってほぼ水平に連設されている突状部１１ａは、全閉位置にあるシールド構造４の下端部が当接するように構成されている。さらに、外側シェル６の下端部のほぼ全周囲にわたって、断面がほぼＵ字状などの下端用縁部材１２が接着剤、両面接着テープなどによる接着などによって取り付けられている。なお、窓孔用縁部材１１は、周知なように、合成ゴム、その他の可撓性に富んだ弾性材料から成っていてよい。また、下端用縁部材１２は、周知なように、発泡塩化ビニール、合成ゴム、その他の軟質合成樹脂などの軟質材料から成っていてよい。さらに、図１および図２において、符号１３は、ヘルメット装着者がシールド構造４を上方および下方に往復回動させる際に指を掛けるために、シールド構造４のほぼ中央部分の下端部に一体的に設けられた指掛け部である。
【００２６】
２、シールド構造の構成
シールド構造４は、基本的には、図１および図２に示すように、本来のシールドである主シールド２１と、窓孔３の左右両側部分にそれぞれ対向するようにこの主シールド２１の左右両側に配設された左右一対の補助シールド取り付け機構（換言すれば、補助シールド取り付け用部材の組み立て体）２２とから構成されている。そして、シールド構造４は、図１に示すように、左右一対の補助シールド取り付け機構２２によって主シールド２１の内側面に着脱自在に取り付けられる防曇用内側補助シールド２３を含むことができる。また、シールド構造４は、図２に示すように、左右一対の補助シールド取り付け機構２２によって主シールド２１の外側面に着脱自在に取り付けられる泥除け用外側補助シールド２４を含むことができる。そして、シールド構造４の主シールド２１の左右両端部付近が、左右一対の主シールド取り付け機構５によって、外側シェル６に回動可能にそれぞれ取り付けられている。また、窓孔用縁部材１１の突状部１１ａには、主シールド２１の下端部が当接するように構成されている。さらに、指掛け部１３は、主シールド２１のほぼ中央部分の下端部に一体的に形成されている。さらに、主シールド２１は、風防のためにヘルメット１に設けられるが、必要に応じて、透光性を阻害しないように着色されることによって日よけ（すなわち、バイザー）を兼用することもでき、ポリカーボネート、その他の合成樹脂などの透明または半透明の硬質材料から成っていてよい。
【００２７】
図１に示す防曇用内側補助シールド２３は、酢酸セルロース、セルロース・プロピオネートなどの高吸湿性の合成樹脂、その他の合成樹脂などの透明または半透明の軟質または硬質材料から成っていてよい。この防曇用内側補助シールド２３は、主シールド２１に対して僅かな間隙２５を保持するようにかつ主シールド２１に着脱自在に取り付けられる。この取り付けのために、防曇用内側補助シールド２３の左右両端部のそれぞれのほぼ上下方向におけるほぼ中央部分よりも多少下方には、左右一対の舌片部２３ａが突設されている。そして、左右一対の舌片部２３ａには、図８および図１２に示すように、後方に向かって開口している左右一対のスリット形状、ほぼ半円形状などの係合用切り欠き凹部２６がそれぞれ形成されている。また、防曇用内側補助シールド２３が主シールド２１に対して僅かな間隙２５を保持するとともに、この間隙２５を気密に保持するために、シリコンゴムなどの弾性材料から成るパッキン用突条部２７が、防曇用内側補助シールド２３のうちの左右一対の舌片部２３ａを除く領域の外周囲に沿って、ほぼループ状に形成されている。そして、主シールド２１には、図６に示すように、これら左側および右側の係合用切り欠き凹部２６にほぼ対応して、厚み方向に貫通している左側および右側の取り付け孔２０が形成されている。
【００２８】
図２に示す泥除け用外側補助シールド２４は、主シールド２１を一回り小さくした形状であってよく、オレフィン樹脂、プロピロピレン、その他の合成樹脂などの透明または半透明の軟質または硬質材料から成っていてよい。この泥除け用外側補助シールド２４は、一枚または複数枚積層された状態でもって、主シールド２１の外側面に取り外しが順次自在なように取り付けられる。この取り付けのために、泥除け用外側補助シールド２４の左右両端部付近には、左側および右側の係合用開孔２８がそれぞれ形成されている。このような係合用開孔２８のそれぞれは、図８に示すように、ほぼ円形状などの中心孔２８ａと、この中心孔２８ａから径方向外方に向かって互いに逆方向（すなわち、ほぼ上方およびほぼ下方）に延在している上下一対のスリット部２８ｂ、２８ｃとから成っている。そして、これら左側および右側の係合用開孔２８は、主シールド２１に形成されている左側および右側の取り付け孔２０にそれぞれほぼ対応している。
【００２９】
３、補助シールド取り付け機構の構成
左側の補助シールド取り付け機構２２と右側の補助シールド取り付け機構２２とは、相互に実質的に同一の構成であってよい。したがって、以下において、左側の補助シールド取り付け機構２２について、図３〜図１０を参照しつつ説明する。この点は、「４、補助シールド取り付け機構の動作」の項においても、同様である。なお、これらの図３〜図１０においては、補助シールド取り付け機構２２は、主シールド２１に取り付けられた状態で示されている。
【００３０】
補助シールド取り付け機構２２は、図６および図７に示すように、
（ａ）主シールド２１の外側面側からこの主シールド２１の取り付け孔２０に嵌合されてこの主シールド２１に取り付けられる支持軸部材３１、
（ｂ）支持軸部材３１の後端側からこの支持軸部材３１の外周囲に相対的に嵌合される外側補助シールド用の保持部材３２、
（ｃ）支持軸部材３１の後端側からこの支持軸部材３１の内周囲に相対的に嵌合される内側補助シールド用の保持部材３３、
（ｄ）内側補助シールド用の保持部材３３にこの保持部材３３のほぼ径方向に延在するように形成された孔またはねじ孔３４にこの保持部材３３の前端側からセルフタップまたはねじ係合によってねじ込まれるプラスねじなどのねじ部材３５、
を備えている。換言すれば、補助シールド取り付け機構２２は、支持軸部材３１、外側補助シールド用保持部材３２、内側補助シールド用保持部材３３およびねじ部材３５から成る４種類の補助シールド取り付け用部材の組み立て体として構成されている。
【００３１】
支持軸部材３１の前部には、図８に示すように、ねじ部材３５の頭部３５ａが支持軸部材３１の前端側から嵌合する嵌合凹部３６と、ねじ部材３５の軸部３５ｂがこの支持軸部材３１の前端側から挿通されるねじ挿通孔３７とが、支持軸部材３１の前端側から順次形成されている。また、支持軸部材３１の中央部から後部にかけては、内側補助シールド用保持部材３３が嵌合する嵌合孔３８がねじ挿通孔３７に連なるように形成されている。そして、支持軸部材３１の前端部の外周囲の全周には、ほぼギヤ形状の凹凸係合部４１が形成されている。また、支持軸部材３１の後端部の全周には、主シールド保持部としての肉薄部４２が形成されている。そして、この主シールド保持部４２の内周面は、嵌合孔３８にほぼ滑らかに連なるように、後端から前端に向かって次第に径小になるほぼ円錐台形状の円錐台面５６に構成されている。さらに、支持軸部材３１の外周囲には、軸支部５２と主シールド保持部４２との間において段差部５４が形成されている。そして、この段差部５４は、径大の軸支部５２と径小の主シールド保持部４２との間をつないでいる。また、主シールド保持部４２の外周面は、その軸心方向において、ほぼ等径（換言すれば、ほぼ円柱面）になっている。
【００３２】
外側補助シールド用保持部材３２は、図６〜図１０に示すように、ほぼボタン形状の保持部材本体４３を備えている。そして、保持部材本体４３はその径が約１５ｍｍで厚みが約１０ｍｍと小さいから、この保持部材本体４３の外周囲には、操作者が２本の指で摘みやすいようにほぼギヤ形状に構成された操作摘み部兼用の抜け止め部（換言すれば、抜け止め頭部）４４が形成されている。また、保持部材本体４３には、この保持部材本体４３に対して偏心している開孔４５が形成されている。さらに、外側補助シールド用保持部材３２には、保持部材本体４３の開孔４５の後端からさらに後方に延在しているほぼ円筒形状などの筒状部４６が、開孔４５とはほぼ同心状に形成されている。そして、筒状部４６の開孔４７は、図８に示すように、段差部４８が存在するために、保持部材本体４３の開孔４５よりも多少径小になっている。
【００３３】
保持部材本体４３の開孔４５の内周面には、段差部４８にこの段差部４８の前端側から隣接するように、ほぼギヤ形状の凹凸係合部５１が形成されている。また、この凹凸係合部５１の内周囲は、支持軸部材３１の凹凸係合部４１の外周囲とはほぼ同形に構成されている。そして、外側補助シールド用保持部材３２の前端側からこの保持部材３２の開孔４５、４７に支持軸部材３１を嵌合させたときには、図９および図１０に示すように、保持部材本体４３が支持軸部材３１の凹凸係合部４１にほぼ対向するとともに、筒状部４６が支持軸部材３１の軸支部（すなわち、凹凸係合部４１と肉薄部４２との間の部位）５２にほぼ対向する。また、保持部材本体４３の後面には、図７に示すように、この保持部材本体４３よりは１回り径小でほぼ円筒形状の補助シールド保持部（換言すれば、補助シールド係合用軸部または係合用偏心軸部）４９がこの保持部材本体４３とは一体的に形成されている。したがって、保持部材本体４３と補助シールド保持部４９との間には、ほぼリング状の段差部４０が形成されている。また、係合用偏心軸部４９および抜け止め頭部４４によって、頭部付き係合用軸部が構成されている。そして、補助シールド保持部４９には、この保持部４９の後端から段差部４０付近まで外側補助シールド用保持部材３２のほぼ径方向に延在している複数本のスリット５０がそれぞれ形成されている。具体的には、互いに比較的近接している３本ずつのスリット５０の組が、保持シールド保持部４３にほぼ等間隔で（換言すれば、ほぼ９０°ずつずれた状態）４組設けられている。そして、各組のスリット５０の間には、比較的肉薄に構成されたばね部５３の基部５３ａがこの各組ごとに２本ずつ形成されている。また、これら２本の基部５３ａのそれぞれの先端側には、基部５３ａから斜め後方で外方に延在している先端部５３ｂが連設されている。したがって、比較的肉薄に構成された多数のばね部５３が保持部材本体４３の外周囲に沿って一体成形されている。そして、これらのばね部５３は、保持部材本体４３の後面からほぼ後方に向かって延在してから斜め後方で外方に向かって開くように、ほぼＬ字形状に構成されている。
【００３４】
内側補助シールド用保持部材３３は、支持軸部材３１の嵌合孔３８の後端側からこの嵌合孔３８に嵌合される被軸支部５５を、この保持部材３３の前部から中央部にかけて、備えている。そして、この被軸支部５５の外周面の後端部は、支持軸部材３１の主シールド保持部４２の内周面とほぼ対応するように、この後端部の後端から前端に向かって次第に径小になるほぼ円錐台形状の円錐台面５７に構成されている。また、この円錐台面５７の前端には、いわゆる段差部に類似した形状を有する第２の円錐台面５８が形成されている。さらに、被軸支部５５には、内側補助シールド用保持部材３３の前端に開口している前記孔またはねじ孔３４が、この被軸支部５５の軸心方向に延在するように、袋穴として形成されている。
【００３５】
内側補助シールド用保持部材３３には、図８に示すように、円錐台面５７の後端にほぼ隣接するように、仕切り壁部６１が被軸支部５５とは一体に形成されている。そして、保持部材３３には、この仕切り壁部６１の後端にほぼ隣接するように、係合用偏心軸部（換言すれば、係合用軸部）６２が仕切り壁部６１とは一体に形成されている。また、係合用偏心軸部６２の後端には、操作摘み部兼用の抜け止め部（換言すれば、抜け止め頭部）６３が係合用偏心軸部６２とは一体に形成されている。なお、抜け止め部６３は、係合用偏心軸部６２の頭部を構成するものである。そして、係合用偏心軸部６２および抜け止め部６３によって、特許文献１のシールド構造における前記頭付き係合用軸部が構成されている。また、抜け止め部６３は、最大径が約６ｍｍと小さいから、操作者が摘みやすいように、偏平な六角形などの偏平な多角形であってよい。さらに、ねじ部材３５は、支持軸部材３１の前端側から嵌合凹部３６およびねじ挿通孔３７に挿通されてから、内側補助シールド用保持部材３３の孔またはねじ孔３４にねじ込まれる。また、図７に示すように、仕切り壁部６１に突設された指針部６５は、保持部材３３による内側補助シールド２３の張り具合を示すためのものである。そして、この指針部６５が上方または下方を向いているときには、保持部材３３による内側補助シールド２３の張り具合の調整状態がほぼ中ぐらいであることを示している。
【特許文献１】特表２００３−５０７５９４号公報
【００３６】
支持軸部材３１およびねじ部材３５の軸心方向を中心線（換言すれば、共通中心線）Ｌ１とした場合、外側補助シールド用保持部材３２の開孔４５、凹凸係合部５１、段差部４８および筒状部４６のそれぞれの軸心は、図８に示すように、補助シールド取り付け機構２２の共通中心線Ｌ１とほぼ一致している。また、主シールド２１の取り付け孔２０の軸心方向も、共通中心線Ｌ１とほぼ一致している。さらに、内側補助シールド用保持部材３３の被軸支部５５、ねじ孔３４、仕切り壁部６１および操作摘み部兼用の抜け止め部６３のそれぞれの軸心方向も、共通中心線Ｌ１とほぼ一致している。これに対し、外側補助シールド用保持部材３２の保持部材本体４３と、摘み部４４と、多数のばね部５３によって全体としてほぼ円筒形状に構成されているばね機構６４とのそれぞれの軸心は、共通中心線Ｌ１とは偏心している外側補助シールド２４のための中心線（すなわち、第１の偏心中心線）Ｌ２とほぼ一致している。また、内側補助シールド用保持部材３３の係合用偏心軸部６２の軸心は、共通中心線Ｌ１とは偏心している内側補助シールド２３のための中心線（すなわち、第２の偏心中心線）Ｌ３とほぼ一致している。なお、第１の偏心中心線Ｌ２が共通中心線Ｌ１から偏心している距離（換言すれば、共通中心線Ｌ１と第１の偏心中心線Ｌ２との相互の間隔）は、第２の偏心中心線Ｌ３が共通中心線Ｌ１から偏心している距離（換言すれば、共通中心線Ｌ１と第２の偏心中心線Ｌ３との相互の間隔）の１／２〜４倍の範囲であってよく、図示の実施例においては、約２倍である。
【００３７】
４、補助シールド取り付け機構の動作
補助シールド取り付け機構２２を主シールド２１に取り付ける手順の一例を説明すると、つぎの（ａ）項〜（ｄ）項に記載のとおりである。
（ａ）まず、図１０に示すように、支持軸部材３１を外側補助シールド用保持部材３２の開孔４５および開孔４７にこの開孔４５の前端側から相対的に嵌合する。この場合、支持軸部材３１の凹凸係合部４１を保持部材３２の凹凸係合部５１に係合させることによって、図３および図９に示すように、保持部材３２を支持軸部材３１に対して回動ロック状態（換言すれば、回動不能状態）にするのが好ましい。また、支持軸部材３１の凹凸係合部４１の後端面（すなわち、段差部）３９は、保持部材３２の段差部４８にほぼ当接することができる。
（ｂ）ついで、図９に示すように、支持軸部材３１の肉薄部（換言すれば、主シールド保持部）４２を主シールド２１の取り付け孔２０にこの主シールド保持部４２の後端側から嵌合させる。この場合、主シールド２１の前面を支持軸部材３１の段差部５４にほぼ当接させるのが好ましい。
（ｃ）ついで、図１０に示すように、内側補助シールド用保持部材３３の被軸支部５５を支持軸部材３１の嵌合孔３８にこの被軸支部５５の前端側から相対的に嵌合させる。この場合、保持部材３３の仕切り壁部６１の前面を主シールド２１の後面にほぼ当接させるのが好ましい。
（ｄ）ついで、図１０に示すように、ねじ部材３５を内側補助シールド用保持部材３３の孔またはねじ孔３４にこの保持部材３３の前端側からセルフタップまたはねじ係合によってねじ込む。このねじ込みによって、支持軸部材３１の主シールド保持部４２が保持部材３３の円錐台面５８および円錐台面５７に順次乗り上げる。したがって、この薄い主シールド保持部４２の内径および外径が拡大されるので、この主シールド保持部４２の外周面が結果的には主シールド２１の取り付け孔２０の周面に強く圧入された状態になって、支持軸部材３１（ひいては、補助シールド取り付け機構２２全体）が取り付け孔２０に対して空回りするのが防止される。これとともに、主シールド２１が支持軸部材３１の段差部５４と内側補助シールド用保持部材３３の仕切り壁部６１の前面との間に強固に固定される。これによって、補助シールド取り付け機構２２が主シールド２１に強固に固定される。また、支持軸部材３１の主シールド保持部４２と保持部材３３の円錐台面５７との間の摩擦係合も強固になる。さらに、外側補助シールド用保持部材３２は、そのばね部５３の先端部５３ｂを主シールド２１によって押圧されるので、前方に向かって付勢され、このために、その段差部４８が支持軸部材３１の段差部３９に弾性的に圧着する。
【００３８】
主シールド２１に取り付けられた左側および右側の補助シールド取り付け機構２２に図１に示すように防曇用内側補助シールド２３を取り付ける手順の一例を説明すると、つぎの（ｅ）項および（ｆ）項に記載のとおりである。
（ｅ）まず、図１１および図１２に示すように、左側および右側の補助シールド取り付け機構２２の内側補助シールド用保持部材３３の係合用偏心軸部６２を防曇用内側補助シールド２３の左側および右側の係合用切り欠き凹部２６（図８参照）に順次相対的に差し込むことによってそれぞれ相対的に挿入または嵌合させる。この場合、補助シールド２３は、係合用切り欠き凹部２６において、係合用偏心軸部６２に係合する。
（ｆ）上記（ｅ）項に記載のようにして主シールド２１に取り付けられた防曇用内側補助シールド２３の張り具合を調整したい場合には、まず、左側および／または右側の補助シールド取り付け機構２２のねじ部材３５を内側補助シールド用保持部材３３の孔またはねじ孔３４から多少ねじ戻す。ついで、保持部材３３の操作摘み部兼用の抜け止め頭部６３を操作者の２本の指で摘んで左回りまたは右回りの方向に適当角度回動させることによって、内側補助シールド２３の張り具合を調整する。ついで、ねじ部材３５を孔またはねじ孔３４に再び十分にねじ込む。
【００３９】
上述のようにして構成されたシールド構造４においては、外側の主シールド２１と内側の防曇用補助シールド２３との間に断熱層となる密封状空間が形成される。したがって、この断熱層の働きによって、２枚のシールド２１、２３の１枚当たりの内外の温度差を減少させることができるから、主シールド２１および防曇用内側補助シールド２３のそれぞれの曇り止めを行うことができる。また、防曇用内側補助シールド２３を主シールド２１から取り外す場合には、上記（ｅ）項に記載の取り付けの場合とは逆の操作を行って、左側および右側の係合用切り欠き凹部２６から左側および右側の係合用偏心軸部６２を順次相対的に取り外せばよい。上述のとおりであるから、左側および右側の補助シールド取り付け機構２２のそれぞれは、係合用偏心軸部（換言すれば、内側シールド係合用軸部）６２および操作摘み部兼用の抜け止め頭部（換言すれば、内側シールド抜け止め部）６３から構成された内側補助シールド取り付け部６６を備えている。
【００４０】
主シールド２１に取り付けられた左側および右側の補助シールド取り付け機構２２に図２に示すように泥除け用外側補助シールド２４を取り付ける手順の一例を説明すると、つぎの（ｇ）項および（ｈ）項に記載のとおりである。
（ｇ）まず、図１１および図１３に示すように、左側および右側の補助シールド取り付け機構２２の外側補助シールド用保持部材３２の保持部材本体４３（換言すれば、抜け止め部４４）を１枚または複数枚積層された状態の泥除け用外側補助シールド２４の左側および右側の係合用開孔２８（図８参照）に順次相対的に挿入させる。この場合、補助シールド２４は、係合用開孔２８において、補助シールド保持部４９にそれぞれ相対的に係合する。
（ｈ）上記（ｇ）項に記載のようにして主シールド２１に取り付けられた泥除け用外側補助シールド２４の張り具合を調整したい場合には、まず、左側および／または右側の補助シールド取り付け機構２２の外側補助シールド用保持部材３２の操作摘み部兼用の抜け止め頭部４４を操作者の２本の指で摘んで主シールド２１に向かって押し込む。このために、保持部材３２の多数本のばね部５３（換言すれば、ほぼ円筒形状のばね機構６４）は、主シールド２１の外側面に強く押しつけられてさらに弾性変形するので、操作摘み部兼用の抜け止め頭部４４は、主シールド２１に向かって前進する。したがって、支持軸部材３１の凹凸係合部４１に相対的に係合していて支持軸部材３１に対する回動を阻止されていた保持部材３２の凹凸係合部５１も、この凹凸係合部４１から主シールド２１に向かって前進するので、この凹凸係合部４１との係合を解除されて、支持軸部材３１に対して回動可能な状態（換言すれば、回動ロック解除状態）になる。ついで、保持部材３２の操作摘み部兼用の抜け止め頭部４４を操作者の２本の指で摘んだままで左回りまたは右回りの方向に適当角度回動させることによって、外側補助シールド２４の張り具合を調整した後に、操作摘み部４４から指を離す。なお、凹凸係合部４１は、前方側から後方側（換言すれば、凹凸係合部４１側から軸支部５２側）に向かって多少尻すぼまりになっている。したがって、上述のように指を離したときに、凹凸係合部４１は、凹凸係合部５１に対して回動方向に多少位置ずれしていても、多数本のばね部５３の弾性復元力によってこの凹凸係合部５１に確実に係合することができる。また仮に、両者が位置ずれしたままで互いに係合しない場合でも、操作摘み部４４を少し回動させると、両者を良好に係合させることができる。
【００４１】
泥除け用外側シールド２４を主シールド２１から１枚ずつ取り外す場合には、つぎに記載の操作を行えばよい。すなわち、まず、操作者が最も外側の泥除け用外側補助シールド２４の左端部付近または右端部付近を手で持ってほぼ前方に引っ張ればよい。この場合、主シールド２１の左側または右側の抜け止め頭部４４は、この泥除け用外側補助シールド２４の左側または右側の係合用開孔２８から相対的に抜き出される。ついで、この泥除け用外側補助シールド２４を手でさらにほぼ前方に引っ張ると、主シールド２１の右側または左側の抜け止め頭部４４も、この泥除け用外側補助シールド２４の右側または左側の係合用開孔２８から相対的に抜き出される。したがって、泥除け用外側補助シールド２４を必要に応じて主シールド２１から１枚ずつ完全に取り外すことができる。
【００４２】
上述のとおりであるから、左側および右側の補助シールド取り付け機構２２のそれぞれは、係合用偏心軸部（換言すれば、外側シールド係合用軸部）４６および操作摘み部兼用の抜け止め頭部（換言すれば、外側シールド抜け止め部）４４から構成された外側補助シールド取り付け部６７を備えている。したがって、左側および右側の補助シールド取り付け機構２２のそれぞれは、単一の取り付け機構でありながら、上記内側補助シールド取り付け部６６と上記外側補助シールド取り付け部６７との両方を共通に備えている。また、左側および右側の補助シールド取り付け機構２２によれば、上記（ｅ）項および（ｆ）項に記載の手順でもって図１に示すように防曇用内側補助シールド２３を取り付けた状態において、上記（ｇ）項および（ｈ）項に記載の手順でもって図２に示すように泥除け用外側補助シールド２４を取り付けることによって、単一の主シールド２１に内側補助シールド２３と外側補助シールド２４との両方を一緒に取り付けることも可能である。
【００４３】
以上において、本発明の一実施例について詳細に説明したが、本発明は、この実施例に限定されるものではなく、特許請求の範囲に記載された発明の趣旨に基づいて各種の変更および修正が可能である。
【００４４】
例えば、上述の実施例においては、フルフェイス型ヘルメット１のシールド構造４に本発明を適用したが、顎覆い部が上昇可能なジェット型兼用のフルフェイス型ヘルメット、ジェット型ヘルメット、セミジェット型ヘルメットなどのシールド構造や、ゴーグルのシールド構造にも、本発明を適用することができる。
【００４５】
また、上述の実施例においては、支持軸部材３１は、主シールド２１とは別体に構成されているが、主シールド２１と一体に形成することもできる。
【００４６】
また、上述の実施例においては、ほぼ円筒形状などのほぼ筒形状のばね機構６４は、外側補助シールド用保持部材３２と一体に形成されているが、保持部材３２とは別体に構成されたコイルばねなどのばね機構、その他の弾性附勢手段であってよい。
【００４７】
また、上述の実施例においては、左側および右側の補助シールド取り付け機構２２を主シールド２１に配設したが、主シールド２１に配設する補助シールド取り付け機構２２の個数は必ずしも２個である必要はなく、主シールド２１の中央部分の上端附近および／または下端附近なども補助シールド取り付け機構２２を配設することができる。
【００４８】
また、上述の実施例においては、内側補助シールド２３を防曇用にするとともに、外側補助シールド２４を泥除け用にしたが、必ずしもこのようにする必要はなく、例えば、外側補助シールド２４が防曇用であってもよい。
【００４９】
また、上述の実施例においては、支持軸部材３１の凹凸係合部４１および外側補助シールド用保持部材３２の凹凸係合部５１のそれぞれは、多数の凸部と多数の凹部とを有するほぼギヤ形状に構成されているが、これら一対の凹凸係合部４１、５１のうちのいずれか一方に、多数の凸部が形成されるとともに、残りの他方に、これら多数の凸部にそれぞれ対応する多数の凹部が形成されていてもよく、要するに、一対の凹凸係合部４１、５１が互いに凹凸係合することができればよい。
【００５０】
また、上述の実施例においては、内側補助シールド２３に左右一対の係合用切り欠き凹部２６を設けるとともに、外側補助シールド２４に左右一対の係合用開孔２８を設けたが、内側補助シールド２３に左側および／または右側の係合用開孔２８を設けることもでき、また、外側補助シールド２４に左側および／または右側の係合用切り欠き凹部２６を設けることもできる。
【００５１】
さらに、上述の実施例においては、保持部材３２を外側補助シールド用にするとともに、保持部材３３を内側補助シールド用にしたが、補助シールド取り付け機構２２の前後を互いに逆にして、保持部材３２を内側補助シールド用にするとともに、保持部材３３を外側補助シールド用にしてもよい。
【図面の簡単な説明】
【００５２】
【図１】本発明の一実施例によるフルフェイス型ヘルメットのシールド構造に防曇用内側補助シールドを取り付けた状態におけるフルフェイス型ヘルメット全体の概略的な左側面図である。（実施例１）
【図２】図１のシールド構造に泥除け用外側シールドを取り付けた状態におけるフルフェイス型ヘルメット全体の概略的な左側面図である。（実施例１）
【図３】図１の補助シールド取り付け機構の、外側補助シールド取り付け部の回動ロック状態での斜視図である。（実施例１）
【図４】図３の補助シールド取り付け機構の、外側補助シールド取り付け部の回動ロック解除状態での斜視図である。（実施例１）
【図５】図３の補助シールド取り付け機構の、図３とは逆の方向から見た斜視図である。（実施例１）
【図６】図３の補助シールド取り付け機構の分解斜視図である。（実施例１）
【図７】図６の補助シールド取り付け機構の、図６とは逆の方向から見た斜視図である。（実施例１）
【図８】図６の補助シールド取り付け機構の、縦断状態における分解斜視図である。（実施例１）
【図９】図３の補助シールド取り付け機構の、縦断状態における斜視図である。（実施例１）
【図１０】図４の補助シールド取り付け機構の、縦断状態における斜視図である。（実施例１）
【図１１】内側補助シールド取り付け部および外側補助シールド取り付け部の位置関係および動作状態を概略的に示す正面図である。（実施例１）
【図１２】内側補助シールド取り付け部の位置関係および動作状態を概略的に示す正面図である。（実施例１）
【図１３】外側補助シールド取り付け部の位置関係および動作状態を概略的に示す正面図である。（実施例１）
【符号の説明】
【００５３】
１    フルフェイス型ヘルメット
２    フルフェイス型頭部保護体
４    シールド構造
２０  取り付け孔
２１  主シールド
２２  補助シールド取り付け機構
２３  防曇用内側補助シールド
２４  泥除け用外側補助シールド
２６  係合用切り欠き凹部
２８  係合用開孔
３１  支持軸部材
３２  外側補助シールド用保持部材
３３  内側補助シールド用保持部材
４１  凹凸係合部
４４  操作摘み部兼用の抜け止め部
４９  補助シールド保持部（係合用軸部）
５１ 凹凸係合部
６２  係合用偏心軸部（係合用軸部）
６３  操作摘み部兼用の抜け止め部
６６  内側補助シールド取り付け部
６７  外側補助シールド取り付け部
【図１】
0005103290.tif 000002
【図２】
0005103290.tif 000003
【図３】
0005103290.tif 000004
【図４】
0005103290.tif 000005
【図５】
0005103290.tif 000006
【図６】
0005103290.tif 000007
【図７】
0005103290.tif 000008
【図８】
0005103290.tif 000009
【図９】
0005103290.tif 000010
【図１０】
0005103290.tif 000011
【図１１】
0005103290.tif 000012
【図１２】
0005103290.tif 000013
【図１３】
0005103290.tif 000014